(57)【要約】【課題】使用時にゴミが入れ易く、また適宜の場所に簡単に備え付けされると共に邪魔にならず、支持性に優れたゴミ袋支持具の提供。【解決手段】本考案のゴミ袋支持具Ｉは、両端部にそれぞれ中空部２３を有する帯状部材２１と該中空部２３に挿入し得る長尺部材２２とからなっており、前記帯状部材２１の両端の中空部２３に長尺部材２２の両端部を挿入して環状体２を構成する。帯状部材２１には、穴５を設け、長尺部材２２には、突起を設けている。長尺部材２２を帯状部材２１の中空部に挿入した際、長尺部材２２の突起は、帯状部材２１の穴に係合する。本考案では、使用時にゴミ袋１を取り付けた環状体２を支持する支持部材４を結合する。【選択図】図１
0003105264.tif 000002
【実用新案登録請求の範囲】
【請求項１】
環状体及び、該環状体にゴミ袋を設置した際、環状体と共にゴミ袋を固定する留具からなると共に、該環状体に支持部材を結合したことを特徴とするゴミ袋支持具。
【請求項２】
中空部を有する帯状部材と該中空部に挿入し得る長尺部材とからなり、前記帯状部材の両端の中空部に長尺部材の両端部を挿入して環状体を構成し、これら帯状部材及び長尺部材のいずれかに伸縮自在の固定部材を結合すると共に、帯状部材及び長尺部材は両端部付近で位置固定手段により位置固定され得るものであり、更に前記環状体に設置したゴミ袋を環状体と共に固定する留具を有することを特徴とするゴミ袋支持具。
【考案の詳細な説明】
【技術分野】
【０００１】
本考案は、ゴミ袋支持具に関するもので、更に詳しくは、設置面積が少なくて済み、邪魔にならないばかりかゴミ容器の使用を省くことができるゴミ袋支持具に関する。
【背景技術】
【０００２】
従来、ゴミ容器、いわゆるゴミ箱には、家庭用、行楽用、業務用などで大きさ、形状、構造の異なる各種のものが知られており、これらのゴミ箱は、通常、ゴミ箱にゴミ袋を装着した後、該ゴミ袋の開口部をゴミ箱の上辺外周部を介して外側に折り曲げ、この折り曲げ部を短冊状の薄い金属板又はプラスチック板などの弾性材料からなる輪で挟み込んで保持しておき、このゴミ袋の中にゴミを入れる如くして使用される。ゴミ袋がゴミでいっぱいになったらゴミ箱からゴミ袋を取り出し、新しいゴミ袋に交換して使用する（例えば、特許文献１参照）。
【０００３】
またゴミ箱を使用しないでゴミ袋のみを使用し、該ゴミ袋の上部開口部近傍に設けられる紐体挿通部と、該紐体挿通部に挿通される輪奈状の紐体とからなる紐付きゴミ袋であって、該紐体挿通部は、第１の紐体挿通部と該第１の紐体挿通部の下方に位置する第２の紐体挿通部を有し、これらの紐体挿通部には、それぞれ輪奈状の紐体が挿通されているゴミ袋が知られている（例えば、特許文献２参照）。
【特許文献１】特開２００２−１６７００４（特許請求の範囲、図面）
【特許文献２】登録実用新案第３０５４３４２号（実用新案登録請求の範囲、図面）
【考案の開示】
【考案が解決しようとする課題】
【０００４】
しかしながら、前述の如き特許文献１に記載されている如きゴミ箱は、変形不可能な容器から構成されているので、狭い場所、例えば、狭い車の中では邪魔になり、また煩わしいという点で問題であった。また特許文献２に記載されるゴミ袋は、投入したゴミが外部に漏れない点で好ましいものであるが、直接床等に置いて使用する際、ゴミ袋の開口部が塞がっている場合が多く、したがってゴミが入れずらいという問題があった。そこで本考案者等は、これらの点に鑑み種々検討を重ねた結果、使用時にゴミが入れ易く、また適宜の場所に容易に備え付けられると共に支持性に優れたゴミ袋支持具を案出した。したがって、本考案が解決しようとする第１の課題は、使用時にゴミが入れ易く、また適宜の場所に簡単に備え付けされると共に支持性に優れたゴミ袋支持具を提供することにある。また本考案が解決しようとする第２の課題は、車の内部のように狭い場所で、ゴミが入れ易く、また適宜の場所に簡単に備え付けることができ、邪魔にならず、しかも支持性に優れたゴミ袋支持具を提供することにある。
【課題を解決するための手段】
【０００５】
本考案の上記各課題は、以下の各考案によってそれぞれ達成される。
【０００６】
本考案は、環状体及び、該環状体にゴミ袋を設置した際、環状体と共にゴミ袋を固定する留具からなると共に、該環状体に支持部材を結合したことを特徴とするゴミ袋支持具であり、更には、本考案は、中空部を有する帯状部材と該中空部に挿入し得る長尺部材とからなり、前記帯状部材の両端の中空部に長尺部材の両端部を挿入して環状体を構成し、これら帯状部材及び長尺部材のいずれかに伸縮自在の支持部材を結合すると共に、帯状部材及び長尺部材は両端部付近で位置固定手段により位置固定され得るものであり、更に前記環状体に設置したゴミ袋を環状体と共に固定する留具を有することを特徴とするゴミ袋支持具により達成される。
【考案の効果】
【０００７】
本考案の第１項に記載のゴミ袋支持具によれば、環状体及び、該環状体にゴミ袋を設置した際、環状体と共にゴミ袋を固定する留具からなると共に、該環状体に支持部材を結合したことを特徴とすることにより、使用時にゴミが入れ易く、また適宜の場所に簡単に備え付けされると共に支持性に優れたゴミ袋支持具を得ることができるという優れた効果を奏するものである。また上記の本考案の第２項に記載のゴミ袋支持具は、中空部を有する帯状部材と該中空部に挿入し得る長尺部材とからなり、前記帯状部材の両端の中空部に長尺部材の両端部を挿入して環状体を構成し、これら帯状部材及び長尺部材のいずれかに伸縮自在の支持部材を結合すると共に、帯状部材及び長尺部材は両端部付近で位置固定手段により位置固定され得るものであり、更に前記環状体に設置したゴミ袋を環状体と共に固定する留具を有することを特徴とすることにより、使用場所の広狭によりゴミ袋の開口部を大きくしたり、小さくしたりすることができ、したがって、車の狭い内部でも、ゴミが入れ易く、また適宜の場所に簡単に備え付けることができ、邪魔にならず、しかも支持性に優れたゴミ袋支持具を提供することにある。
【考案を実施するための最良の形態】
【０００８】
以下に、本考案の実施の形態を図面で説明するが、本考案は、これに限定されるものではない。図１は、本考案のゴミ袋支持具にゴミ袋を設置したところを示す斜視図である。また図２は、本考案のゴミ袋支持具を支持する各種の支持部材を示す斜視図である。図１において、本考案のゴミ袋支持具Ｉは、両端部にそれぞれ中空部２３を有する帯状部材２１と該中空部２３に挿入し得る長尺部材２２とからなっており、前記帯状部材２１の両端の中空部２３に長尺部材２２の両端部を挿入して環状体２を構成する。前記の帯状部材２１及び長尺部材２２には、環状体２の大きさ、即ちゴミ袋１の開口部３の大きさを所望の大きさで固定し得る穴又は突起を有していてもよい。もちろん固定用穴はや突起は有していなくてもよい。図１では、帯状部材２１には、穴５を３個設けられており、これに対して、長尺部材２２には、突起（図示していない）を穴５と同じ間隔で２個設けられている。長尺部材２２を帯状部材２１の中空部に挿入した際、長尺部材２２の突起は、帯状部材２１の穴５１に係合する。第１番目の穴５１に係合したときは、一番大きな開口が形成され，第２番目の穴５２に突起が係合すると環状体２は小さくなる。
【０００９】
本考案では、使用時にゴミ袋１を取り付けた環状体２を支持する支持部材４を結合する。これによりゴミ袋１が折れ曲がってゴミの投入体積が減少することがなく、ゴミを投入し易いものが得られる。この支持部材４は、環状体２の帯状部材２１又は長尺部材２２のいずれかに結合することができる。またこの支持部材４は、伸縮自在に構成されており、これにより高さを調節することができる。本考案に用いられる支持部材４としては、係合用穴７を有する支持部片４１の中空部に取付片４２を挿入し、該取付片４２の突起（図示せず）と係合することによって所望の高さに固定する（図２のｂ参照）。図２は、本考案に用いられる支持部材を示す斜視図である。図２のａにおいて、支持部材４３は、逆Ｊ字形をからなり、この折曲部４３ａを棒状体や穴に係合して吊り下げて使用する。図２のｂでは、図２のａと同様であるが、支持部が支持部片４１と取付片４２とからなり、支持部片４１には、穴７を有すると共に中空部４８を有し、この中空部４８に前記取付片４１を挿入し、取付片４１に形成されている突起（図示せず）と係合し所望の高さで固定する。
【００１０】
図２のｃは、折曲部８を有する支持部材である。この折曲部８を有することによりゴミ袋１を設置し易いという利点がある。またこの端部に固定手段又は固定部材９を有しており、この固定部材９としては、両面接着テープでもまた磁石片でもよい。磁石片の場合には，固定個所の材質が鋼材でできていることは言うまでもない。図２のｄは、支持部材４は、板状体４５から構成されている。この端部には固定部材９を有している。この固定部材９としては、両面接着テープでもまた磁石片でもよい。図２のｅは、支持部材は、板状体４６とネジ９１、９２等の固定手段９から構成されている。更に図２のｆは、両端に固定部材９３、９４を有し、支持部材本体４７は、例えば、コイル状に巻かれた可変性部材からなる。この他、固定手段としては、固定に係る技術分野において周知の固定手段を用いてもよいことはいうまでもない。更に、本考案では、環状体２にゴミ袋を設置した後、留具１０、１１、１２で適宜の個所を留める。これによってゴミ袋がずれて外れることがないばかりでなく、得に車の狭い空間でゴミ袋支持具に接触しても外れることがない。
【００１１】
図３は、本考案の業務用のゴミ袋支持具を示す斜視図である。図３のａにおいて、このゴミ袋支持具ＩＩは、環状体２の所望の個所に折曲部８を有する支持部材４４が結合している。またこの結合面と反対側の面には固定部材９を有している。更に、この環状体２は留具１０、１１、１２、１３と組み合わされており、使用に際しては、この環状体２をゴミ袋１の開口部３で外側に折り曲げて包み、この状態で留具１０、１１、１２、１３で均等に留めて固定する。留具１０（１１、１２、１３）は、図３のｂに示される如く、片面に固定部材９を有し、この固定部材９を介して帯状部材２１に設け、洗濯挟みのようにつまみの先端でゴミ袋の開口部３を挟んで固定する。これにより大きなゴミ容器は必要なく、実質的にゴミ袋のみからなるので、ゴミ袋いっぱいにゴミを収納することができ、使用時にゴミが入れ易く、また適宜の場所に簡単に備え付けされると共に支持性に優れたゴミ袋支持具を得ることができる。
【００１２】
図４は、本考案の更に別の実施態様を示す図面であり、図４のａは、  本考案の環状体支持具を示す斜視図であり、図４のｂは、環状体支持具を支持するための支持部材を示す平面図である。また図４のｃは、その側面図である。図４のａにおいて、両端部には、折り曲げ片２４を折り曲げて中空部２３が形成されており、この中空部２３に長尺部材２２を挿入して環状体２を形成する。ついで、図４のｂに示される支持部材４を固定部材９、例えば、両面接着テープで環状体２に貼り付ける。この支持部材４は、予め帯状部材２１に取り付けておいても、また使用時に帯状部材２１に取り付けてもよい。前記の環状体２の両端部には、留具１０、１１を有するので、この留具１０、１１でゴミ袋の開口部３を留めることができる。本考案のゴミ袋支持具は、帯状部材２１、長尺部材２２及び支持部材４をセットにして包装しておき、使用時に組み立てるようにすれば、保存時は、コンパクトに保持することができる。このようにして得られた環状体支持具ＩＩＩは、支持部材の他端を車内の前座席の正面のボードへ固定部材９により固定する如くして使用する。これによりゴミ袋の環状体２は、変形自在であるので、邪魔にならず、しかもゴミ袋の開口部が塞がることがないので、ゴミが捨てやすいという優れた効果を奏するものである。また本考案に用いられる環状体２は、金属でもプラスチックでもよく、得に材質には限定されない。また環状体２の形状もまた円形、だ円形、四角形、長方形、五角形、六角形など得に形状には限定されないが、得に狭い空間で使用する際には、だ円形、長方形、扁平六角形が好ましい。
【００１３】
本考案のゴミ袋支持具の留具が、クリップ１０である場合には、ゴミ袋１の設置の仕方として、図５に示されるａ〜ｄの態様が考えられる。即ち、図５のａは、環状体２のシーリング材と側でゴミ袋の開口部をクリップ１０に挟んで取り付ける。図５の２は、環状体２にゴミ袋１の開口部を通した後、外側に折り曲げてクリップ１０で下側から挟んで取り付ける。図５のｃは、環状体２のクリップの先が上にくるように配置した後、ゴミ袋１の開口部を内側に折り曲げてその端部をクリップ１０で挟んで取り付ける。図５のｄは、環状体２にゴミ袋１の開口部を通した後、外側に折り曲げてクリップ１０で挟んで取り付ける。この他、クリップ１０が環状体２の内側にくるように配置した後、同様なの取り付け方で取り付けてもよい。
【産業上の利用可能性】
【００１４】
本考案では、前述の如き作用効果を発揮する用途として、家庭用、業務用、移動体、例えば自家用車、タクシー、業務用トラック等で広く使用される。
【図面の簡単な説明】
【００１５】
【図１】本考案のゴミ袋支持具にゴミ袋を設置したところを示す斜視図である。
【図２】本考案のゴミ袋支持具の支持部材を示す斜視図である。
【図３】本考案の業務用のゴミ袋支持具を示す斜視図である。
【図４】本考案の支持部材の別の実施の態様を示す斜視図である。
【図５】本考案の固定部材の取り付け方を示す部分断面図である。
【符号の説明】
【００１６】
１  ゴミ袋
２  環状体
２１  帯状部材
２２  長尺部材
２３  挿入部
２４  折曲片
３  ゴミ袋の開口
４  支持部材
４１  支持部片
４２  取付片
４３、４４、４５、  ４６  板状支持部材
４７  可変性部材
４８  中空部
５、７、５１、５２、５３、７１、７２  穴
８  折曲部又は段差
９、９１、９２、９３、９４  固定手段又は固定部材
１０、１１、１２、１３  留具
【図１】
0003105264.tif 000003
【図２】
0003105264.tif 000004
【図３】
0003105264.tif 000005
【図４】
0003105264.tif 000006
【図５】
0003105264.tif 000007